(57)【要約】  アスファルトフィニッシャ（１００）は、トラクタ（１）と、トラクタ（１）の前側に設置されて舗装材（ＰＶ）を受け入れるホッパ（２）と、ホッパ（２）内の舗装材（ＰＶ）をトラクタ（１）の後側へ給送するコンベア（ＣＶ）と、コンベア（ＣＶ）により給送された舗装材（ＰＶ）をトラクタ（１）の後側で敷き拡げるスクリュ（ＳＣ）と、スクリュ（ＳＣ）により敷き拡げられた舗装材（ＰＶ）をスクリュ（ＳＣ）の後側で敷き均すスクリード（３）と、照明装置（５２）の照明範囲を調整するコントローラ（５０）と、を備える。
2019009349.tif 000002
【特許請求の範囲】
【請求項１】
トラクタと、
前記トラクタの前側に設置されて舗装材を受け入れるホッパと、
前記ホッパ内の舗装材を前記トラクタの後側へ給送するコンベアと、
前記コンベアにより給送された前記舗装材を前記トラクタの後側で敷き拡げるスクリュと、
前記スクリュにより敷き拡げられた前記舗装材を前記スクリュの後側で敷き均すスクリードと、
照明装置の照明範囲を調整する制御装置と、を備える、
アスファルトフィニッシャ。
【請求項２】
周囲の物体を検出する物体検出装置を備え、
前記制御装置は、前記物体検出装置の検出結果に基づいて前記照明装置の照明範囲を調整する、
請求項１に記載のアスファルトフィニッシャ。
【請求項３】
前記照明装置を搭載する飛行体に信号を送信する送信装置を備え、
前記制御装置は、前記送信装置を通じて前記照明装置の照明範囲に関する情報を前記飛行体に送信する、
請求項１に記載のアスファルトフィニッシャ。
【請求項４】
前記照明装置を搭載する飛行体に電力を供給する、
請求項１に記載のアスファルトフィニッシャ。
【請求項５】
前記照明装置は前記トラクタに取り付けられている、
請求項１に記載のアスファルトフィニッシャ。
【請求項６】
前記制御装置は、前記アスファルトフィニッシャの動作状態に応じて前記照明装置の照明範囲を調整する、
請求項１に記載のアスファルトフィニッシャ。
【発明の詳細な説明】
【技術分野】
【０００１】
本開示は、アスファルトフィニッシャに関する。
【背景技術】
【０００２】
従来、夜間作業時に用いる照明装置と、照明装置に供給する電力を発電する発電機と、発電機を駆動する油圧モータと、を備えたアスファルトフィニッシャが知られている（特許文献１参照。）。【０００３】
照明装置は、通常、取り付け角度が固定された状態でアスファルトフィニッシャの所定位置に取り付けられている。
【先行技術文献】
【特許文献】
【０００４】
【特許文献１】実開平０３−１２５８０６号公報
【発明の概要】
【発明が解決しようとする課題】
【０００５】
しかしながら、照明装置は、アスファルトフィニッシャに固定されているため、アスファルトフィニッシャが移動すると、アスファルトフィニッシャの後方で作業する作業者から遠ざかってしまう。そのため、その作業者の周囲を適切に照らすことができない場合がある。【０００６】
上述に鑑み、作業者の周囲をより適切に照らすアスファルトフィニッシャの提供が望まれる。
【課題を解決するための手段】
【０００７】
本発明の実施例に係るアスファルトフィニッシャは、トラクタと、前記トラクタの前側に設置されて舗装材を受け入れるホッパと、前記ホッパ内の舗装材を前記トラクタの後側へ給送するコンベアと、前記コンベアにより給送された前記舗装材を前記トラクタの後側で敷き拡げるスクリュと、前記スクリュにより敷き拡げられた前記舗装材を前記スクリュの後側で敷き均すスクリードと、照明装置の照明範囲を調整する制御装置と、を備える。
【発明の効果】
【０００８】
上述の手段により、作業者の周囲をより適切に照らすアスファルトフィニッシャが提供される。
【図面の簡単な説明】
【０００９】
【図１】本発明の実施例に係るアスファルトフィニッシャの側面図である。
【図２】図１のアスファルトフィニッシャの上面図である。
【図３】照明システムの構成例を示すブロック図である。
【図４】照明制御処理のフローチャートである。
【図５】照明システムの別の構成例を示す図である。
【図６】図５の照明システムを搭載するアスファルトフィニッシャの側面図である。
【図７】図６のアスファルトフィニッシャの上面図である。
【発明を実施するための形態】
【００１０】
図１は、本発明の実施例に係る道路機械の一例であるアスファルトフィニッシャ１００の側面図である。道路機械は、ベースペーバ、タックペーバ又はマルチアスファルトペーバ等であってもよい。図２はアスファルトフィニッシャ１００の上面図である。アスファルトフィニッシャ１００は、主に、トラクタ１、ホッパ２及びスクリード３で構成されている。以下では、トラクタ１から見たホッパ２の方向（＋Ｘ方向）を前方とし、トラクタ１から見たスクリード３の方向（−Ｘ方向）を後方とする。
【００１１】
トラクタ１は、アスファルトフィニッシャ１００を走行させるための機構である。本実施例では、トラクタ１は、後輪走行用油圧モータを用いて後輪５を回転させ、且つ、前輪走行用油圧モータを用いて前輪６を回転させてアスファルトフィニッシャ１００を移動させる。後輪走行用油圧モータ及び前輪走行用油圧モータは油圧ポンプから作動油の供給を受けて回転する。後輪５及び前輪６はクローラで置き換えられてもよい。
【００１２】
コントローラ５０は、アスファルトフィニッシャ１００を制御する制御装置である。本実施例では、コントローラ５０は、ＣＰＵ、メモリ、不揮発性記憶装置等を含むマイクロコンピュータで構成され、トラクタ１に搭載されている。コントローラ５０の各種機能は、不揮発性記憶媒体に格納されたプログラムをＣＰＵが実行することで実現される。
【００１３】
ホッパ２は、舗装材を受け入れるための機構である。本実施例では、トラクタ１の前側に設置され、ホッパシリンダによってＹ軸方向（車幅方向）に開閉可能に構成されている。アスファルトフィニッシャ１００は、通常、ホッパ２を全開状態にしてダンプトラックの荷台から舗装材（例えばアスファルト混合物である。）を受け入れる。図１及び図２はホッパ２が全開状態であることを示す。ホッパ２内の舗装材が減少するとホッパ２が閉じられ、ホッパ２の内壁付近にあった舗装材がホッパ２の中央部に集められる。ホッパ２の中央部にあるコンベアＣＶがトラクタ１の後側に舗装材を給送できるようにするためである。トラクタ１の後側に給送された舗装材は、スクリュＳＣによってトラクタ１の後側且つスクリード３の前側で車幅方向に敷き拡げられる。本実施例では、スクリュＳＣは、エクステンションスクリュが左右に連結された状態にある。図１及び図２は、スクリュＳＣによって敷き拡げられた舗装材ＰＶをドットパターンで示している。
【００１４】
スクリード３は、舗装材ＰＶを敷き均すための機構である。本実施例では、スクリード３は、前側スクリード３０及び後側スクリード３１を含む。スクリード３は、トラクタ１によって牽引される浮動スクリードであり、レベリングアーム３Ａを介してトラクタ１に連結されている。
【００１５】
スクリード３の前部にはモールドボード４３が取り付けられている。モールドボード４３は、スクリード３の前方に滞留する舗装材ＰＶの量を調整する。舗装材ＰＶは、モールドボード４３の下端と路盤ＲＢとの間の隙間を通ってスクリード３の下に至る。
【００１６】
トラクタ１の上部には、アスファルトフィニッシャ１００の操作者が手摺りとして利用可能なガイドレール１Ｇが設置されている。そして、ガイドレール１Ｇには物体検出装置５１及び照明装置５２が取り付けられている。物体検出装置５１及び照明装置５２は、運転席１Ｓの下部に取り付けられていてもよく、トラクタ１の他の部位に取り付けられていてもよい。
【００１７】
物体検出装置５１は、アスファルトフィニッシャ１００の周囲に存在する物体を検出するように構成されている。本実施例では、物体検出装置５１は、アスファルトフィニッシャ１００の後方を撮像可能なカメラであり、無線又は有線でコントローラ５０に接続されている。コントローラ５０は、例えば、物体検出装置５１が撮像した画像に各種画像処理を施すことで、アスファルトフィニッシャ１００の後方に存在する作業者の位置を検出できる。作業者は、望ましくは、所定のマーカが描かれた腕章、ヘルメット等を装着している。画像認識処理で認識され易いようにするためである。この場合、コントローラ５０は、所定のマーカの画像を見つけ出すことで作業者の位置を検出できる。コントローラ５０は、所定のジェスチャを行う作業者を検出することで、作業者の位置、又は、光を照射すべき位置を検出してもよい。
【００１８】
物体検出装置５１は、ステレオカメラ、ミリ波レーダ、超音波センサ、レーザレーダ、赤外線センサ、ライダ等であってもよい。また、物体検出装置５１は、アスファルトフィニッシャ１００の前方又は側方に存在する物体を追加的に検出できるように構成されていてもよい。本実施例では、１台の物体検出装置５１がアスファルトフィニッシャ１００に取り付けられているが、複数台の物体検出装置５１がアスファルトフィニッシャ１００に取り付けられていてもよい。
【００１９】
照明装置５２は、アスファルトフィニッシャ１００の周囲を照らすように構成されている。本実施例では、照明装置５２は、アスファルトフィニッシャ１００の後方を照らすように位置付けられ、且つ、無線又は有線でコントローラ５０に接続されている。アスファルトフィニッシャ１００の前方又は側方を追加的に照らすように取り付けられていてもよい。本実施例では、１台の照明装置５２がアスファルトフィニッシャ１００に取り付けられているが、複数台の照明装置５２がアスファルトフィニッシャ１００に取り付けられていてもよい。
【００２０】
次に、図３を参照し、アスファルトフィニッシャ１００に搭載される照明システムＬＳについて説明する。図３は、照明システムＬＳの構成例を示すブロック図である。照明システムＬＳは、主に、コントローラ５０、物体検出装置５１、照明装置５２、情報取得装置５３等で構成されている。本実施例では、コントローラ５０、物体検出装置５１、照明装置５２及び情報取得装置５３は、電源装置６０から電力の供給を受ける。電源装置６０は、エンジン６１によって駆動される発電機６２が発電した交流電力を直流電力に変換する。図３の太点線は電力線を表し、二重線はエンジン６１と発電機６２とが機械的に連結されていることを表す。
【００２１】
コントローラ５０は、機能要素として照明制御部５０ａを含む。照明制御部５０ａは、ソフトウェア、ハードウェア又はファームウェアで構成され、照明装置５２を制御する。本実施例では、照明制御部５０ａは、物体検出装置５１及び情報取得装置５３等の出力に基づいて照明の要否を判定する。そして、照明が必要と判定した場合には目標照明領域を決定し、その目標照明領域に関する指令を照明装置５２に対して出力する。目標照明領域は、照明装置５２による光が照射されるべき領域を意味する。
【００２２】
照明装置５２は、光軸調整機構５２ａ及びズーム機構５２ｂを含む。照明装置５２は、コントローラ５０からの指令に応じて光軸調整機構５２ａ及びズーム機構５２ｂの少なくとも一方を動作させて照明範囲を変更する。目標照明領域を照らすためである。照明装置５２は、光量（明るさ）及び波長（色）等の少なくとも１つを変更できるように構成されていてもよい。
【００２３】
光軸調整機構５２ａは、照明装置５２の光軸の向きを変化させる。本実施例では、電動モータとギア機構を用いて照明装置５２の光軸の向きを機械的に上下左右に変化させる。すなわち、照明装置５２の光源の姿勢を変化させて照明装置５２の光軸の向きを変化させる。但し、光軸調整機構５２ａは、照明装置５２の光軸を光学的に変化させてもよい。すなわち、ミラー等の光学素子の姿勢を変化させて照明装置５２の光軸の向きを変化させてもよい。
【００２４】
ズーム機構５２ｂは、照明装置５２による照明範囲を変化させる。本実施例では、電動モータとギア機構を用いて照明装置５２内の光学素子の姿勢を変化させて照明装置５２による照明範囲を拡大し或いは縮小する。
【００２５】
情報取得装置５３は、情報を取得し、取得した情報をコントローラ５０に対して出力する。情報取得装置５３は、例えば、走行速度センサ、操舵角センサ、舗装幅センサ、明るさセンサ（カメラを含む。）及び照明スイッチ等の少なくとも１つを含む。走行速度センサは、アスファルトフィニッシャ１００の走行速度を検出する。操舵角センサは、アスファルトフィニッシャ１００の操舵角を検出する。舗装幅センサは、後側スクリード３１の伸張量を検出して舗装幅を算出する。明るさセンサは、アスファルトフィニッシャ１００の周囲の明るさを検出する。明るさセンサは、物体検出装置５１としてのカメラが有する明るさセンサであってもよい。物体検出装置５１としてのカメラが有する明るさセンサは、少なくとも、カメラの撮像範囲の明るさを検出するように構成されているためである。照明スイッチは、照明装置５２をオン・オフするために操作者が利用可能なスイッチである。
【００２６】
次に、図４を参照し、照明制御部５０ａが照明装置５２を制御する処理（以下、「照明制御処理」とする。）の一例について説明する。図４は、照明制御処理の一例のフローチャートである。図４の例では、照明制御部５０ａは、照明装置５２の作動中にこの照明制御処理を所定の制御周期で繰り返し実行する。照明制御部５０ａは、例えば、照明スイッチの操作によって照明装置５２が作動させられたときに照明制御処理の実行を開始する。或いは、明るさセンサの出力に応じて照明装置５２による照明が自動的に開始されたときに照明制御処理の実行を開始してもよい。照明制御処理の実行開始時には、照明装置５２は、例えば、図２の一点鎖線で示す基準照明領域Ｒ０を照らす。
【００２７】
最初に、照明制御部５０ａは、アスファルトフィニッシャ１００の周囲の状況を把握する（ステップＳＴ１）。照明制御部５０ａは、例えば、物体検出装置５１の出力に基づいてアスファルトフィニッシャ１００の後方の所定範囲内に作業者が存在するか否かを判定する。そして、所定範囲内に作業者が存在すると判定した場合には作業者の位置を把握する。
【００２８】
その後、照明制御部５０ａは、目標照明領域を決定する（ステップＳＴ２）。照明制御部５０ａは、例えば、図２に示すようにアスファルトフィニッシャ１００の後方に作業者ＷＫ１が存在すると判定した場合、作業者ＷＫ１の存在位置を含む所定の大きさの領域を目標照明領域とする。すなわち、破線で示す領域Ｒ１を目標照明領域とする。図２の例では、作業者ＷＫ１は、既設舗装体ＡＰに隣接する新設舗装体ＮＰのジョイント部をレーキで敷き均す作業を行っている。
【００２９】
その後、照明制御部５０ａは、目標照明領域が照らされるように照明装置５２による照明範囲を調整する（ステップＳＴ３）。すなわち、物体検出装置５１の検出結果に基づいて照明装置５２の照明範囲を調整できる。本実施例では、照明制御部５０ａは、目標照明領域に関する指令を照明装置５２に対して出力する。目標照明領域に関する指令は、例えば、照明装置５２の光軸の向きに関する情報、及び、照明範囲の大きさに関する情報を含む。目標照明領域に関する指令を受けた照明装置５２は、光軸調整機構５２ａ及びズーム機構５２ｂの少なくとも一方を作動させ、照明範囲が目標照明領域と一致するように、或いは、照明範囲が目標照明領域を含むように、照明範囲を調整する。
【００３０】
このように、コントローラ５０は、アスファルトフィニッシャ１００に対する作業者ＷＫ１の相対位置の変化に応じて照明装置５２の照明範囲を変化させることができる。すなわち、照明装置５２は作業者ＷＫ１を追尾して作業者ＷＫ１を照らし続けることができる。
【００３１】
照明制御部５０ａは、アスファルトフィニッシャ１００の動作状態を把握することで目標照明領域を決定してもよい。すなわち、動作状態に応じて照明装置５２の照明範囲を調整してもよい。例えば、舗装幅センサの出力に基づいて目標照明領域を決定してもよい。この場合、照明装置５２による照明範囲は、例えば、舗装幅が大きいほど車幅方向に拡大される。或いは、走行速度センサの出力に基づいて目標照明領域を決定してもよい。この場合、照明装置５２による照明範囲は、例えば、走行速度が大きいほど車長方向に拡大される。
【００３２】
次に、図５〜図７を参照し、照明システムＬＳの別の構成例について説明する。図５は、照明システムＬＳの別の構成例を示すブロック図である。図６は、図５の照明システムＬＳを搭載するアスファルトフィニッシャ１００の側面図である。図７は、図５の照明システムＬＳを搭載するアスファルトフィニッシャ１００の上面図である。
【００３３】
図５の照明システムＬＳは、発信器１５０及び飛行体２００の少なくとも一方との通信を制御する通信装置５７を含む点で図３の照明システムＬＳと異なるがその他の点で共通する。そのため、共通部分の説明を省略し、相違部分を詳説する。
【００３４】
発信器１５０は、作業者が携帯する装置であり、例えば、携帯電話、スマートフォン、ウェアラブルＰＣ、汎用リモートコントローラ等を含む。本実施例では、腕時計型の発信器である。
【００３５】
具体的には、発信器１５０は、制御装置１５１、発信装置１５２及びバッテリ１５３等で構成されている。制御装置１５１及び発信装置１５２は、バッテリ１５３から電力の供給を受ける。
【００３６】
制御装置１５１は、発信器１５０を制御するための装置である。本実施例では、制御装置１５１は、マイクロコンピュータで構成されている。制御装置１５１は、各種機能に対応するプログラムを実行することで、それらプログラムのそれぞれに対応する機能を実現する。
【００３７】
発信装置１５２は、発信器１５０の外部に向けて情報を発信する。発信装置１５２は、例えば、アスファルトフィニッシャ１００が受信可能な情報を所定の発信周期で繰り返し発信する。発信装置１５２は、発信ボタンの押下等、作業者による所定の手動操作に応じて情報を発信してもよい。或いは、発信装置１５２は、所定時刻になったこと等、所定の発信条件が満たされた場合に情報を発信してもよい。
【００３８】
飛行体２００は、遠隔操作又は自動操縦による飛行が可能な自律式飛行体であり、例えば、マルチコプタ、飛行船等を含む。本実施例では、照明装置２０４を搭載したクワッドコプタである。
【００３９】
具体的には、飛行体２００は、制御装置２０１、通信装置２０２、自律航行装置２０３、照明装置２０４及びバッテリ２０５等で構成されている。制御装置２０１、通信装置２０２、自律航行装置２０３及び照明装置２０４は、バッテリ２０５から電力の供給を受ける。但し、制御装置２０１、通信装置２０２、自律航行装置２０３及び照明装置２０４は、アスファルトフィニッシャ１００に搭載されている電源装置６０から電力の供給を受けてもよい。この場合、飛行体２００は、電源ケーブルを介して電源装置６０に接続される。
【００４０】
制御装置２０１は、飛行体２００を制御するための装置である。本実施例では、制御装置２０１は、マイクロコンピュータで構成されている。制御装置２０１は、各種機能に対応するプログラムを実行することで、それらプログラムのそれぞれに対応する機能を実現する。
【００４１】
通信装置２０２は、飛行体２００の外部からの情報を受信する。通信装置２０２は、例えば、アスファルトフィニッシャ１００が送信する情報を受信する。また、通信装置２０２は、飛行体２００の外部に向けて情報を発信してもよい。この場合、通信装置２０２は、例えば、アスファルトフィニッシャ１００が受信可能な情報を発信してもよい。
【００４２】
自律航行装置２０３は、飛行体２００の自律航行を実現するための装置である。本実施例では、自律航行装置２０３は、飛行制御装置及び電動モータを含む。飛行制御装置は、ジャイロセンサ、加速度センサ、地磁気センサ（方位センサ）、気圧センサ、測位センサ及び超音波センサ等の各種センサの少なくとも１つを含み、姿勢維持機能及び高度維持機能等を実現する。電動モータは、バッテリ２０５から電力の供給を受けてプロペラを回転させる。自律航行装置２０３は、例えば、制御装置２０１から飛行経路に関する情報を受けると４つのプロペラの回転速度を別々に制御し、飛行体２００の姿勢及び高度を維持しながら飛行体２００をその飛行経路に沿って移動させる。飛行経路に関する情報は、例えば、飛行位置の緯度、経度及び高度で構成される。制御装置２０１は、例えば、通信装置２０２を通じて飛行経路に関する情報をアスファルトフィニッシャ１００から取得する。制御装置２０１は、飛行体２００の飛行の妨げとなる障害物の存在を考慮して飛行経路を決定してもよい。飛行の妨げとなる障害物は、例えば、カメラが撮像した画像に基づいて検出される。カメラは、アスファルトフィニッシャ１００に取り付けられたカメラであってもよく、飛行体２００に取り付けられたカメラであってもよい。飛行体２００は、飛行体２００が搭載しているカメラ及びセンサ等の少なくとも１つの出力に基づき、飛行の妨げとなる障害物を自律的に回避してもよい。
【００４３】
照明装置２０４は、飛行体２００の下方を照らす。本実施例では、飛行体２００の下方を照らすように取り付けられ且つ制御装置２０１に接続されている。本実施例では、１台の照明装置２０４が飛行体２００に取り付けられているが、複数台の照明装置２０４が取り付けられていてもよい。
【００４４】
また、照明装置２０４は、照明装置５２と同様に、光軸調整機構及びズーム機構を含んでいてもよい。この場合、照明装置２０４は、制御装置２０１からの指令に応じて光軸調整機構及びズーム機構の少なくとも一方を動作させて照明範囲を調整する。照明装置２０４は、光量（明るさ）及び波長（色）等の少なくとも１つを変更できるように構成されていてもよい。
【００４５】
飛行体２００は、カメラを備えていてもよい。この場合、飛行体２００は、カメラが撮像した画像に基づいてアスファルトフィニッシャ１００及び作業者を認識できる。或いは、飛行体２００は、アスファルトフィニッシャ１００及び作業者の位置情報を受信してもよい。これらの構成により、飛行体２００は、アスファルトフィニッシャ１００及び作業者との相対位置関係を把握しながら飛行できる。
【００４６】
通信装置５７は、アスファルトフィニッシャ１００に搭載される装置であり、コントローラ５０に接続されている。そして、コントローラ５０と外部機器との間の通信を制御する。本実施例では、通信装置５７は、受信装置として機能し、発信器１５０が発信する信号を受信する。この場合、Bluetooth（登録商標）又はWi-Fi（登録商標）等の通信規格が利用されてもよい。コントローラ５０は、発信器１５０の出力（例えば電波強度）に基づいて発信器１５０の位置すなわち作業者の位置を把握できる。また、送信装置として機能し、目標照明領域等、照明装置２０４の照明範囲に関する情報を飛行体２００に送信する。
【００４７】
この構成により、照明制御部５０ａは、例えば、物体検出装置５１として機能する発信器１５０の出力に基づいてアスファルトフィニッシャ１００の後方の所定範囲内に作業者が存在するか否かを判定する。そして、所定範囲内に作業者が存在すると判定した場合には作業者の位置を把握し、その位置に基づいて目標照明領域を決定する。
【００４８】
例えば、照明制御部５０ａは、図６及び図７に示すようにアスファルトフィニッシャ１００の後方に作業者ＷＫ２〜ＷＫ４が存在すると判定した場合、作業者ＷＫ２〜ＷＫ４のそれぞれの存在位置を含む所定の大きさの領域を目標照明領域とする。この例では、照明制御部５０ａは、照明装置５２と照明装置２０４を利用できるため、２つの目標照明領域を決定する。すなわち、破線で示す領域Ｒ２を、照明装置５２に関する第１目標照明領域とし、破線で示す領域Ｒ３を、照明装置２０４に関する第２目標照明領域とする。この例では、作業者ＷＫ２は、既設舗装体ＡＰに隣接する新設舗装体ＮＰのジョイント部をレーキで敷き均す作業を行っている。作業者ＷＫ３は、シックネスゲージを用いて新設舗装体ＮＰの厚さを計測する作業を行っている。作業者ＷＫ４は、既設舗装体ＡＰに隣接する新設舗装体ＮＰのジョイント部をコンパクタで締め固める作業を行っている。第１目標照明領域は、作業者ＷＫ２及び作業者ＷＫ３の存在位置を含む。第２目標照明領域は、作業者ＷＫ４の存在位置を含む。但し、照明制御部５０ａは、第１目標照明領域が作業者ＷＫ２の存在位置を含み、第２目標照明領域が作業者ＷＫ３及び作業者ＷＫ４の存在位置を含むように２つの目標照明領域を決定してもよい。また、発信器１５０は、レーキ、シックネスゲージ及びコンパクタ等の作業具の少なくとも１つに取り付けられていてもよい。
【００４９】
その後、照明制御部５０ａは、第１目標照明領域が照らされるように照明装置５２による照明範囲を調整し、且つ、第２目標照明領域が照らされるように照明装置２０４による照明範囲を調整する。本実施例では、照明制御部５０ａは、第１目標照明領域に関する指令を照明装置５２に対して出力する。第１目標照明領域に関する指令を受けた照明装置５２は、光軸調整機構５２ａ及びズーム機構５２ｂの少なくとも一方を作動させ、照明範囲が第１目標照明領域と一致するように、或いは、照明範囲が第１目標照明領域を含むように、照明範囲を調整する。
【００５０】
同様に、照明制御部５０ａは、第２目標照明領域に関する指令を飛行体２００の照明装置２０４に対して出力する。第２目標照明領域に関する指令を受けた照明装置２０４は、光軸調整機構及びズーム機構の少なくとも一方を作動させ、照明範囲が第２目標照明領域と一致するように、或いは、照明範囲が第２目標照明領域を含むように、照明範囲を調整する。或いは、第２目標照明領域に関する指令を受けた制御装置２０１は、照明装置２０４の照明範囲が第２目標照明領域と一致するように、或いは、照明範囲が第２目標照明領域を含むように、飛行体２００を飛行させてもよい。この構成により、飛行体２００は、例えば、作業者ＷＫ４の上空を飛行しながら照明装置２０４で作業者ＷＫ４の周囲を照らすことができる。また、比較的高い位置から照らすため、バルーン投光器に比べ、作業者ＷＫ４に眩しさを感じさせ難い。
【００５１】
以上の構成により、アスファルトフィニッシャ１００は、照明装置５２及び照明装置２０４の少なくとも一方の照明範囲を調整するコントローラ５０を備えることで、作業者の周囲をより適切に照らすことができる。
【００５２】
また、アスファルトフィニッシャ１００は、トラクタ１に搭載された電源装置６０の電力を利用して作業者の周囲を照らすように構成されている。そのため、バルーン投光器等の発電機を備えた照明装置の準備を作業者に強いることなく、作業時間が延びて日が暮れた場合等、緊急に照明が必要になった場合にも、作業者の周囲を適切に照らすことができる。また、ロードローラ等、アスファルトフィニッシャ１００の周囲を移動する他の道路機械に取り付けられた照明装置に頼ることなく、作業者の周囲を適切に照らすことができる。その結果、舗装に関する作業性を向上させることができる。
【００５３】
以上、本発明の好ましい実施例が説明された。しかしながら、本発明は、上述した実施例に限定されることはない。上述した実施例は、本発明の範囲を逸脱することなしに、種々の変形、置換等が適用され得る。また、上述の実施例を参照して説明された特徴のそれぞれは、技術的に矛盾しない限り、適宜に組み合わされてもよい。
【００５４】
本願は、２０１７年７月５日に出願した日本国特許出願２０１７−１３２０３２号に基づく優先権を主張するものであり、この日本国特許出願の全内容を本願に参照により援用する。
【符号の説明】
【００５５】
１・・・トラクタ  １Ｇ・・・ガイドレール  ２・・・ホッパ  ３・・・スクリード  ３Ａ・・・レベリングアーム  ５・・・後輪  ６・・・前輪  ３０・・・前側スクリード  ３１・・・後側スクリード  ４３・・・モールドボード  ５０・・・コントローラ  ５０ａ・・・照明制御部  ５１・・・物体検出装置  ５２・・・照明装置  ５２ａ・・・光軸調整機構  ５２ｂ・・・ズーム機構  ５３・・・情報取得装置  ５４・・・発電機  ５５・・・エンジン  ５７・・・通信装置  ６０・・・電源装置  ６１・・・エンジン  ６２・・・発電機  １００・・・アスファルトフィニッシャ  １５０・・・発信器  １５１・・・制御装置  １５２・・・発信装置  １５３・・・バッテリ  ２００・・・飛行体  ２０１・・・制御装置  ２０２・・・通信装置  ２０３・・・自律航行装置  ２０４・・・照明装置  ２０５・・・バッテリ  ＡＰ・・・既設舗装体  ＣＶ・・・コンベア  ＮＰ・・・新設舗装体  ＰＶ・・・舗装材  ＲＢ・・・路盤  ＳＣ・・・スクリュ
【図１】
2019009349.tif 000003
【図２】
2019009349.tif 000004
【図３】
2019009349.tif 000005
【図４】
2019009349.tif 000006
【図５】
2019009349.tif 000007
【図６】
2019009349.tif 000008
【図７】
2019009349.tif 000009
【国際調査報告】
2019009349.tif 000010
2019009349.tif 000011
2019009349.tif 000012
2019009349.tif 000013